(57)【要約】【課題】溶岩の自然でリラックスできる雰囲気を味わえるとともに、長時間にわたって周囲に香りを発散し続けることのできる芳香アクセサリーを提供する。【解決手段】ブレスレット１のバンド２に、多孔質の溶岩４Ａ、４Ｂ、４Ｃを台金具５Ａ、５Ｂ、５Ｃを介して着脱自在に取り付けてある。溶岩を取り付けるアクセサリーは、アンクレット、指輪、ネックレス、ペンダント、ブローチ、ロケット、ネクタイピン、カフスボタン等様々な態様が可能であり、溶岩の微細孔にアロマオイルや香水等の芳香物質を浸透させることによって着用時に芳香物質が周囲の空気中に放散されて香りを楽しむことができる。【選択図】  図１
0003150607.tif 000002
【実用新案登録請求の範囲】
【請求項１】
アクセサリーの装飾部が揮発性の芳香物質を浸透可能な多孔質の溶岩から構成されていることを特徴とする芳香アクセサリー。
【請求項２】
アクセサリーがブレスレットであり、前記ブレスレットはバンドと、前記バンドに装着されて表側に装飾部となる溶岩を保持する少なくとも一つの台金具を備えていることを特徴とする請求項１記載の芳香アクセサリー。
【請求項３】
台金具は、バンドに挿通可能であり、バンドの周方向に移動可能であることを特徴とする請求項２記載の芳香アクセサリー。
【請求項４】
溶岩が台金具に対して着脱可能に取り付けられていることを特徴とする請求項２又は３記載の芳香アクセサリー。
【考案の詳細な説明】
【技術分野】
【０００１】
本考案は、溶岩を利用したペンダント、ブローチ、ロケット、指輪、ブレスレット、イヤリング等のアクセサリーに関する。
【背景技術】
【０００２】
従来、ペンダント、ブローチ、ロケット、指輪、ブレスレット、イヤリング等のアクセサリーにアロマオイルや香水等の芳香物質を含浸させて、使用時に芳香を発散するようにしたものがある。    
【０００３】
たとえば、特許文献１においては、ネックレスの連結保持部を多孔質焼結体で構成してここにハーブ液等の芳香液を含浸させたものや、指輪の宝石を指リングに保持する連結保持部を多孔質焼結体で構成してここに芳香液を含浸させたものが記載されている。
【０００４】
また、特許文献２においては、ブローチの裏面に凹溝を形成してその中にアロマオイルや香水等を注入可能な金属粗体を嵌め込んだものや、ブレスレットの駒体の裏面に凹溝を設けてこの中に同様な金属粗体を嵌め込んだものが記載されている。
【先行技術文献】
【特許文献】
【０００５】
【特許文献１】実用新案登録第３０８５７５２号公報
【特許文献２】実用新案登録第３１２９１９４号公報
【考案の概要】
【考案が解決しようとする課題】
【０００６】
しかしながら、前述したような従来のアロマオイルや、香水等の芳香物質を含浸させた多孔質焼結体や金属粗体等は、それ自体は装飾性が無いため、目立ちにくいネックレスの連結部分やブレスレットの駒体の裏面側に設けられていた。
【０００７】
そのため、これらの多孔質焼結体や金属粗体はサイズを大きくできず、アロマオイルや香水等の芳香物質を極めて少量しか保持できないため、短時間で香りが消えてしまう問題があった。また、特許文献２に記載されているブローチやブレスレットの駒体のように、裏面の凹溝に金属粗体を嵌め込んであるものは、周囲に芳香が発散し難い問題があった。
【０００８】
さらに、従来のアクセサリー類は、宝石や貴石、貴金属、さらにはガラスやプラスチック等の素材を用いたものがほとんどであり、見た目や感触が人工的、無機的で自然の趣に乏しい問題があった。
【０００９】
そこで、本考案は、前述したような従来技術における問題点を解決し、溶岩の自然でリラックスできる雰囲気を味わえるとともに、長時間にわたって周囲に香りを発散し続けることのできる芳香アクセサリーを提供することを目的とする。
【課題を解決するための手段】
【００１０】
前記目的のために提供される、本考案の芳香アクセサリーは、アクセサリーの少なくとも装飾部が揮発性の芳香物質を浸透可能な多孔質の溶岩から構成されているものである。
【００１１】
また、本考案の芳香アクセサリーは、ブレスレットであり、前記ブレスレットは手首に装着するバンドと、前記バンドに装着されて表側に装飾部となる溶岩を保持する少なくとも一つの台金具を備えていることが望ましい。
【００１２】
この場合、さらに、各々異なった香りの芳香物質を浸透させた溶岩が取り付けられた複数の台金具がバンドに対してその周方向に位置を移動可能に取り付けられていることが望ましく、また、溶岩が台金具に対して着脱可能に取り付けられていることも望ましい。
【考案の効果】
【００１３】
請求項１記載の考案によれば、アクセサリーの少なくとも装飾部が揮発性の芳香物質を浸透可能な多孔質の溶岩から構成されているため、前記溶岩にアロマオイル、香水等の芳香物質を浸透させると、アクセサリーの着用時に芳香物質が周囲に放散されてその香りを楽しむことができる。
【００１４】
この際、溶岩自体の自然な趣との相乗効果によって、従来のこの種のアクセサリーでは得られないリラックスした気分を味わうことができる。しかも、アクセサリーの主体部分である装飾部が溶岩で構成されているため、多量の芳香物質を浸透して保持することができるので、長時間芳香を発散し続けることができる。
【００１５】
また、請求項２記載の考案によれば、アクセサリーをブレスレットの形態としているため、手の動きに応じて溶岩から周囲に芳香を効果的に放つことができる。
さらに、請求項３記載の考案によれば、台金具をブレスレットのバンドに対して、台金具の位置を移動させることによって、その場の気分や雰囲気に応じて、自分自身や対向する相手側に好みの芳香を放つ溶岩を向けることができる。
【００１６】
さらに、請求項４記載の考案によれば、溶岩が台金具に対して着脱可能に取り付けられていることにより、溶岩に芳香物質を浸透させる作業が容易になるとともに、異なる香りを浸透させた多数の溶岩を目的に応じて簡単に交換して使用することができる。
【図面の簡単な説明】
【００１７】
【図１】本考案の芳香アクセサリーの１実施形態を示すブレスレットの斜視図。
【図２】尾錠部分の構造を示す部分図。
【図３】台金具への溶岩の取付構造を示す横断面図。
【図４】台金具から溶岩を分離した状態を示す横断面図。
【図５】台金具から溶岩を取り外した状態を示す図。
【図６】台金具から溶岩を取り外す方法を示す図。
【考案を実施するための形態】
【００１８】
以下、本考案を実施形態の図面を参照して説明する。図１は、本考案の芳香アクセサリーの１実施形態としてのブレスレットの斜視図であって、ブレスレット１は、柔軟なゴム製のバンド２と、このバンド２の両端を連結する着脱自在の尾錠３と、装飾部である円形ないし楕円形に加工された溶岩４Ａ、４Ｂ、４Ｃを取り付けた台金具５Ａ、５Ｂ、５Ｃから構成されている。
【００１９】
尾錠３は図２に示すように、バンド２の両端部にそれぞれ着脱可能に取り付けられる一対の連結ピース３Ａ、３Ｂから構成されていて、それぞれの連結ピース３Ａに軸６Ａ、６Ｂで回動自在に軸支されている固定片７Ａ、７Ｂを外側に開くことによって、それぞれの連結ピース３Ａ、３Ｂからバンド２の端部を抜き取ることができ、また、これらの連結ピース３Ａ、３Ｂにバンド２の端部を差し込んだ状態で固定片７Ａ、７Ｂを折り畳むことで、これらの連結ピース３Ａ、３Ｂにバンド２を連結できるようになっている。
【００２０】
また、連結ピース３Ａに形成されている係合凸部８を他方の連結ピース３Ｂに形成されている係合凹部９に係合させると、係合凹部９の底部に埋め込まれている永久磁石１０が係合凸部８の対向面を吸着して、連結ピース３Ａ、３Ｂ同士が連結されるようになっている。なお、この永久磁石１０としては、小型で強力なことからネオジム磁石が好ましい。
【００２１】
また、これらの連結ピース３Ａ、３Ｂ同士は、係合凸部８の両側面を指で摘んで、永久磁石１０の吸引力に抗して係合凹部９から引き離せば両者は簡単に分離することができる。なお、本実施形態の尾錠３の構造は、これに限定するものではなく、同様の機能を有する、例えば腕時計に用いられているような周知の構造のものを用いることができる。
【００２２】
次に、溶岩４Ａ、４Ｃ、４Ｄを取り付けている台金具５Ａ、５Ｂ、５Ｃの構造について説明する。これらの台金具５Ａ、５Ｂ、５Ｃは、本実施形態のものにおいてはすべて構造も形状も同じものが用いられているので、この中で台金具５Ａの構造を図３乃至図５に示す。
【００２３】
台金具５Ａは、バンド２を通すためのバンド２の断面形状と同じ形状のバンド挿通孔１１を有している。また、台金具５Ａの上面（図１において、ブレスレット１の外周側の面）には、溶岩４Ａの円形ないし楕円形状の外周輪郭に適合する浅い係合凹部１２が形成してあり、その中央部には、円形の磁石収容凹部１３が形成され、ここには厚み方向に着磁させた円板形の永久磁石１４が埋め込まれて接着剤で固定されている。なお、本実施形態のものにおいては、この永久磁石１４には、小さくても強力なネオジム磁石を用いている。
【００２４】
一方、溶岩４Ａの底面は平坦に加工されていて、接着剤１５によって、溶岩４Ａと外周の輪郭形状がほぼ同じ形状の吸着プレート１６が接着されている。吸着プレート１６は、磁性を有するステンレス板や錆止め処理を表面に施した鋼板等の磁性材料で製作されていて、台金具５Ａに埋め込まれている永久磁石１４の吸着力で係合凹部１２の底面に当接保持されるようになっている。
【００２５】
図４から明らかなように、吸着プレート１６の外周の一部には、溶岩４Ａの外周輪郭より外側に突出する耳片１６Ａが突出している。この耳片１６Ａは、図３のように、溶岩４Ａを台金具５Ａ上に載せたときに、台金具５Ａの係合凹部１２外縁部に切欠形成されている分解用溝１７内に入り込むようになっている。
【００２６】
分解用溝１７は、台金具５Ａ上面の係合凹部１２外周辺の中央部に台金具５Ａの側面に向かう斜面として形成されていている。
この分解用溝１７は、台金具５Ａから溶岩４Ａを取り外す作業を容易にするものであって、図６に示すように、台金具５Ａの側面側に開口している分解用溝１７と吸着プレート１６の耳片１６Ａとの隙間にマイナスドライバー等を差し込み、その先端を耳片１６Ａに引っ掛けて吸着プレート１６を永久磁石１４から離し、溶岩４Ａを台金具５Ａから外す。
【００２７】
図５に示すように、溶岩４Ａを台金具５Ａに装着する場合には、溶岩４Ａの下面に装着されている吸着プレート１６の耳片１６Ａを、分解用溝１７の位置に合わせて係合凹部１２上に近づけると、吸着プレート１６は永久磁石１３に引き寄せられて係合凹部１２内に嵌入して固定される。
【００２８】
なお、台金具５Ａ自体を磁性材料で製作しておけば、永久磁石１３が吸着プレート１５を吸引する力はより強くなって、溶岩４Ａを台金具５Ａにより確実に保持しておくことができる。
【００２９】
また、溶岩４Ａ、４Ｂ、４Ｃを台金具５Ａ、５Ｂ、５Ｃに着脱可能に装着する手段として、本実施形態のものにおいては、永久磁石１３の吸着力を利用しているが、これに限定するものではなく、例えば、吸着プレート１６の代わりに溶岩の下面に樹脂プレートを接着固定し、これを台金具に形成した係合凹部の内周面に押し込むことによってその弾力によって係合凹部内に着脱可能に固定する構造としてもよい。
台金具５の上面を平面とし、溶岩４の底面を台金具に５に接着剤で固定しても良い。
【００３０】
このブレスレット１を使用する場合には、尾錠３の連結ピース３Ａ、３Ｂの一方をバンド２から取り外し、予め用意した必要な数の台金具５Ａ、５Ｂ、５Ｃをバンド２に通して好みの位置まで移動させる。バンド２は柔軟性があり変形し易いので台金具５を容易に適宜の位置まで移動させることができ、所定の位置においてバンド２と台金具５の摩擦によって固定される。一旦、台金具５をバンド２に通せば、いつでも適宜の位置に移動させることができる。
【００３１】
一方、溶岩４Ａ、４Ｂ、４Ｃは、これらの台金具５Ａ、５Ｂ、５Ｃから取り外した状態で、アロマオイルや香水等の揮発性の芳香物質を表面に噴霧する等の方法により浸透させておく。
【００３２】
ここで用いる芳香物質は、使用者の好みや目的に応じて、それぞれの溶岩４Ａ、４Ｂ、４Ｃ毎に別々の香りのものでもよいし、同一種類のものでもよい。次いで、これらの溶岩４Ａ、４Ｂ、４Ｃを図１に示すように台金具５Ａ、５Ｂ、５Ｃに取り付けた後、腕に嵌めて使用する。
【００３３】
なお、台金具５Ａ、５Ｂ、５Ｃ毎に異なる香りの芳香物質を浸透させた溶岩４Ａ、４Ｂ、４Ｃを装着している場合には、バンド２上を台金具５Ａ、５Ｂ、５Ｃの位置を移動させることにより、その場の気分や雰囲気に応じて、ブレスレット１を嵌めている本人や、対向する相手側に好みの芳香を放つ溶岩を向けることができる。
【００３４】
前述したブレスレット１においては、台金具５Ａ、５Ｂ、５Ｃと溶岩４Ａ、４Ｂ、４Ｃは、全て同一構造、且つ、同一形状のものを使用しているが、台金具毎に溶岩の形状やサイズ、種類を異ならせてもよいし、また、台金具は一つだけ装着してもよい。
【００３５】
さらに、台金具の手首側に対向する面には、必要に応じて、ゲルマニウムや、トルマリン等の鉱石を取り付けたり、永久磁石等を取り付けてもよい。また、本実施形態のものにおいては、ブレスレット１のバンド２をゴム製とし、バンド２に５Ａ、５Ｂ、５Ｃを支持させているが、多数の台金具どうしを相互に屈曲可能なリンク状に連結するとともに、台金具間にばね仕掛けの伸縮構造を組み込んで環状に構成してもよい。
【００３６】
また、ここでは、本考案の芳香アクセサリーの１実施形態としてブレスレットについて説明したが、これに限定するものではなく、その他の、ブレスレット、アンクレット、指輪、ネックレス、ペンダント、ブローチ、ロケット、ネクタイピン、カフスボタン、ループタイ等のアクセサリーの少なくとも装飾部として使用する部分を揮発性の芳香物質を浸透可能な多孔質の溶岩としたものであればよい。
【００３７】
例えば、図示しないが、このような多孔質の溶岩をリング状に加工して、全体が溶岩製の指輪を形成してもよい。この場合、指に直接触れる指輪内周部分だけは、シリコン樹脂等の被覆を施して芳香物質の浸透を防止し、溶岩に浸透した芳香物質が指の皮膚に直接触れてかぶれ等を生じないように配慮しておくことが望ましい。
【００３８】
また、ペンダントやブローチについても、前述したブレスレットの台金具と同様な台座で溶岩を保持することができるが、全体を溶岩で製作する場合には、肌や衣服に直接触れる部分には、芳香物質の浸透を阻止する樹脂コーティング等を施しておくことが望ましい。
【００３９】
さらに、本考案の芳香アクセサリーは、溶岩に芳香物質を浸透させずに、水分を含ませて身に付ければ、マイナスイオンを発生するため、アロマオイルや香水の香りが苦手な使用者も、気分をリラックスさせる健康アクセサリーとして効果的に用いることができる。
【産業上の利用可能性】
【００４０】
本考案の芳香アクセサリーは、ブレスレット、アンクレット、指輪、ネックレス、ペンダント、ブローチ、ロケット、ネクタイピン、カフスボタン、ループタイ等の様々なアクセサリーとして利用することが可能である。
【符号の説明】
【００４１】
１                  ブレスレット（芳香アクセサリー）
２                  バンド
３                  尾錠
３Ａ、３Ｂ          連結ピース
４Ａ、４Ｂ、４Ｃ    溶岩
５Ａ、５Ｂ、５Ｃ    台金具
６Ａ、６Ｂ          軸
７Ａ、７Ｂ          固定片
８                  係合凸部
９                  係合凹部
１０                  永久磁石
１１                  バンド挿通孔
１２                  係合凹部
１３                  磁石収容凹部
１４                  永久磁石
１５                  接着剤
１６                  吸着プレート
１６Ａ                耳片
１７                  分解用溝
【図１】
0003150607.tif 000003
【図２】
0003150607.tif 000004
【図３】
0003150607.tif 000005
【図４】
0003150607.tif 000006
【図５】
0003150607.tif 000007
【図６】
0003150607.tif 000008
【手続補正書】
【提出日】平成21年3月16日(2009.3.16)
【手続補正１】
【補正対象書類名】実用新案登録請求の範囲
【補正対象項目名】全文
【補正方法】変更
【補正の内容】
【実用新案登録請求の範囲】
【請求項１】
アクセサリーの装飾部が揮発性の芳香物質を浸透可能な多孔質の溶岩から構成されていることを特徴とする芳香アクセサリー。
【請求項２】
アクセサリーがブレスレットであり、前記ブレスレットはバンドと、前記バンドに装着されて表側に装飾部となる溶岩を保持する少なくとも一つの台金具を備えていることを特徴とする請求項１記載の芳香アクセサリー。
【請求項３】
台金具は、バンドに挿通可能であり、バンドの周方向に移動可能であることを特徴とする請求項２記載の芳香アクセサリー。